(57)【要約】      （修正有）【課題】腹側帯部材及び背側帯部材の両者において部分的に収縮力を軽減可能とし、更に、尿を吸収後の吸収性本体における腹側の部分の重みによる同腹側の部分の垂れ下がりを抑制する。【解決手段】吸収性本体１０と、腹側帯部材３０ａと、背側帯部材３０ｂと、胴回り開口と脚回り開口とが形成された吸収性物品であり、腹側帯部材３０ａのうちで吸収性本体との重ね合わせ部の縦方向の大きさは、背側帯部材３０ｂのうちで吸収性本体との重ね合わせ部の縦方向の大きさよりも大きくされ、腹側帯部材３０ａは、横方向に連続した腹側連続弾性部材３５ａと、横方向に非連続した腹側非連続弾性部材３５ｎａと、を有し、背側帯部材３５ｂは、横方向に連続した背側連続弾性部材３５ｂと、横方向に非連続にした背側非連続弾性部材３５ｎｂと、を有し、腹側連続弾性部材３５ａの収縮力の総和よりも、背側連続弾性部材３５ｂの収縮力の総和の方を大きくする。【選択図】図４
2015020006.tif 000002
【特許請求の範囲】
【請求項１】
縦方向に沿って設けられ、尿を吸収する吸収性本体と、
前記縦方向と交差する横方向に沿って設けられ、前記吸収性本体の前記縦方向の一端部に重ね合わせられて固定された腹側帯部材と、
前記腹側帯部材とは別部材として前記横方向に沿って設けられ、前記吸収性本体の前記縦方向の他端部に重ね合わせられて固定された背側帯部材と、を有し、
前記腹側帯部材のうちの前記横方向の各端部と前記背側帯部材のうちの前記横方向の各端部とが連結されることによって、一つの胴回り開口と二つの脚回り開口とが形成された吸収性物品であって、
前記腹側帯部材のうちで前記吸収性本体が重ね合わせられる重ね合わせ部の前記縦方向の大きさは、前記背側帯部材のうちで前記吸収性本体が重ね合わせられる重ね合わせ部の前記縦方向の大きさよりも大きくされており、
前記腹側帯部材は、前記腹側帯部材に対して前記横方向の収縮力を付与すべく、前記腹側帯部材における前記横方向の一端部から他端部までに亘って連続して配置された腹側連続弾性部材と、前記横方向に非連続に配置された腹側非連続弾性部材と、を有し、
前記背側帯部材は、前記背側帯部材に対して前記横方向の収縮力を付与すべく、前記背側帯部材における前記横方向の一端部から他端部までに亘って連続して配置された背側連続弾性部材と、前記横方向に非連続に配置された背側非連続弾性部材と、を有し、
前記腹側帯部材に係る前記腹側連続弾性部材の収縮力の大きさの総和よりも、前記背側帯部材に係る前記背側連続弾性部材の収縮力の大きさの総和の方が大きいことを特徴とする吸収性物品。
【請求項２】
請求項１に記載の吸収性物品であって、
前記腹側帯部材のうちの前記横方向の中央部に前記重ね合わせ部が設定されていることによって、前記腹側帯部材は、前記重ね合わせ部よりも前記横方向に突出した突出部分を前記横方向の両側にそれぞれ有し、
前記腹側非連続弾性部材は、一方の前記突出部分に前記横方向に連続して設けられた側部弾性部材と、他方の前記突出部分に前記横方向に連続して設けられつつ、前記一方の前記突出部分の前記側部弾性部材との間に前記中央部にて前記横方向に間隔をあけて設けられた側部弾性部材と、を有し、
前記背側帯部材のうちの前記横方向の中央部に前記重ね合わせ部が設定されていることによって、前記背側帯部材は、前記重ね合わせ部よりも前記横方向に突出した突出部分を前記横方向の両側にそれぞれ有し、
前記背側非連続弾性部材は、一方の前記突出部分に前記横方向に連続して設けられた側部弾性部材と、他方の前記突出部分に前記横方向に連続して設けられつつ、前記一方の前記突出部分の前記側部弾性部材との間に前記中央部にて前記横方向に間隔をあけて設けられた側部弾性部材と、を有し、
前記腹側帯部材の前記突出部分の前記側部弾性部材の収縮力の総和は、前記背側帯部材の前記突出部分の前記側部弾性部材の収縮力の総和よりも大きくされていることを特徴とする吸収性物品。
【請求項３】
請求項２に記載の吸収性物品であって、
前記腹側帯部材における前記突出部分に配置された前記側部弾性部材は、前記横方向の中央側に延長されているとともに、延長された部分の端部は、前記吸収性本体の前記横方向の端部に接合されていることを特徴とする吸収性物品。
【請求項４】
請求項３に記載の吸収性物品であって、
前記吸収性本体は、液体吸収性素材が積層されてなる吸収性コアと、前記吸収性コアを肌側から覆って設けられた液透過性の表面シート部材と、前記吸収性コアを非肌側から覆って設けられた液不透過性の裏面シート部材と、を有し、
前記腹側帯部材の前記側部弾性部材の前記端部は、前記吸収性コアにおける前記横方向の端部に位置していることを特徴とする吸収性物品。
【請求項５】
請求項２乃至４の何れかに記載の吸収性物品であって、
前記吸収性本体は、液体吸収性素材が積層されてなる吸収性コアと、前記吸収性コアを肌側から覆って設けられた液透過性の表面シート部材と、前記吸収性コアを非肌側から覆って設けられた液不透過性の裏面シート部材と、を有し、
前記背側帯部材における前記突出部分に配置された前記側部弾性部材は、前記横方向の中央側に延長されているとともに、延長された部分の端部は、前記吸収性本体のうちで前記吸収性コアよりも前記横方向の端側の部分に固定されていることを特徴とする吸収性物品。
【請求項６】
請求項２乃至５の何れかに記載の吸収性物品であって、
前記吸収性本体における前記横方向の各端部は、前記腹側帯部材に接合部を介して固定されており、
前記接合部を介して前記突出部分の前記側部弾性部材の収縮力が前記端部に作用することによって、前記端部は、前記突出部分の方に引っ張られていることを特徴とする吸収性物品。
【請求項７】
請求項２乃至６の何れかに記載の吸収性物品であって、
前記背側帯部材の前記縦方向の大きさの方が前記腹側帯部材の前記縦方向の大きさよりも大きいことによって、前記背側帯部材は、前記腹側帯部材よりも前記脚回り開口の方に飛び出してなる飛び出し部分を有し、
前記腹側帯部材の前記突出部分に位置する複数の前記側部弾性部材のうちで前記脚回り開口に最も近い位置の側部弾性部材の収縮力の方が、前記背側帯部材の前記突出部分に位置する複数の前記側部弾性部材のうちで前記脚回り開口に最も近い位置の側部弾性部材の収縮力よりも大きいことを特徴とする吸収性物品。
【請求項８】
請求項１乃至７の何れかに記載の吸収性物品であって、
複数の前記背側連続弾性部材のうちで前記縦方向の最も中央側に位置する背側連続弾性部材の収縮力の方が、複数の前記腹側連続弾性部材のうちで前記縦方向の最も中央側に位置する腹側連続弾性部材の収縮力よりも大きいことを特徴とする吸収性物品。
【請求項９】
請求項１乃至８の何れかに記載の吸収性物品であって、
前記腹側帯部材は、シート状部材を基材とするとともに、前記シート状部材に対して前記腹側連続弾性部材及び前記腹側非連続弾性部材が設けられており、
前記背側帯部材は、シート状部材を基材とするとともに、前記シート状部材に対して前記背側連続弾性部材及び前記背側非連続弾性部材が設けられており、
前記腹側連続弾性部材の収縮力の大きさの総和とは、前記シート状部材が前記横方向に自然長になるまで前記シート状部材を広げた状態を１００％の伸長状態とした場合に、７０％の伸長状態において前記腹側連続弾性部材に生じている前記横方向の収縮力の大きさの総和のことであり、
前記背側連続弾性部材の収縮力の大きさの総和とは、前記シート状部材が前記横方向に自然長になるまで前記シート状部材を広げた状態を１００％の伸長状態とした場合に、７０％の伸長状態において前記背側連続弾性部材に生じている前記横方向の収縮力の大きさの総和のことであることを特徴とする吸収性物品。
【発明の詳細な説明】
【技術分野】
【０００１】
本発明は、使い捨ておむつ等の尿を吸収する吸収性物品に関する。
【背景技術】
【０００２】
従来、尿を吸収する吸収性物品として、特許文献１に示すような３ピースタイプの使い捨ておむつ１が使用されている。図１Ａは、着用状態のおむつ１の概略斜視図であり、図１Ｂは、このおむつ１を、着用者の脇腹に当接する部分１ｓ，１ｓで分断後に展開して非肌側から見た概略平面図である。この３ピースタイプのおむつ１は、三つの部品に大別される。すなわち、同おむつ１は、第１部品として、着用者の股間にあてがわれて尿を吸収する吸収性本体１０を有し、第２部品として、着用者の腹側部を覆う腹側帯部材３０ａを有し、第３部品として、着用者の背側部を覆う背側帯部材３０ｂを有している。そして、腹側帯部材３０ａと背側帯部材３０ｂとが互いの間に間隔をあけて略平行に並んだ状態で、これらの間に吸収性本体１０が掛け渡されつつ、同吸収性本体１０の長手方向の各端部１０ｅａ，１０ｅｂがそれぞれ対応する最寄りの帯部材３０ａ，３０ｂに固定され、これにより、当該展開状態のおむつ１の外観は、平面視略Ｈ型形状をなしている。
【０００３】
吸収性本体１０は、パルプ繊維等の液体吸収性素材を積層してなる吸収性コア１１と、同コア１１を肌側から覆って設けられた液透過性の表面シート部材１３と、同コア１１を非肌側から覆って設けられた液不透過性の裏面シート部材１５と、を有している。また、吸収性本体１０の長手方向は、おむつ１の縦方向に沿っており、この縦方向と直交する横方向に各帯部材３０ａ，３０ｂは延びて配置されている。また、縦方向及び横方向の両者と直交する方向（図１Ｂ中では、紙面を貫通する方向）が、おむつ１の厚さ方向となっている。
【０００４】
一方、各帯部材３０ａ，３０ｂには、糸ゴム等の複数の弾性部材３５ｓ１，３５ｓ２…が横方向に伸長下で同方向に沿って接合固定されており、これにより、各帯部材３０ａ，３０ｂには、横方向の収縮力が付与されている。また、帯部材３０ａ，３０ｂのうちで吸収性本体１０の各端部１０ｅａ，１０ｅｂが固定される部分３０ａｃ，３０ｂｃは、横方向の中央部３０ａｃ，３０ｂｃとされている。
【先行技術文献】
【特許文献】
【０００５】
【特許文献１】特表２００６−５２５８５８号
【発明の概要】
【発明が解決しようとする課題】
【０００６】
ここで、かかる中央部３０ａｃ，３０ｂｃに上記の如き収縮力が付与されていると、吸収性本体１０のうちで吸収性コア１１が存在する部分が横方向に収縮されてしまって皺を生じる。そして、かかる皺が生じると、吸収性本体１０の肌側面のうちで着用者の肌と対向する面積が減じてしまって、尿の吸収性が低下したり、或いは、皺を伝って吸収性本体１０から尿漏れし易くなる。そのため、帯部材３０ａ，３０ｂに設けられる上記複数の弾性部材３５ｓ１，３５ｓ２…のうちで、吸収性コア１１を横方向に横断する弾性部材３５ｓ２，３５ｓ２…については、吸収性コア１１の位置で分断することにより、同図１Ｂに示すように、吸収性コア１１を横断する弾性部材が概ね存在しない状態にするか、或いは、吸収性コア１１を横断する弾性部材（不図示）を細切れにして、これにより、帯部材３０ａ，３０ｂにおいて吸収性コア１１に対応する部分３０ａｃ，３０ｂｃに生じる収縮力を低下させている。  
すなわち、上述のように、帯部材３０ａ，３０ｂにあっては、部分的に横方向の収縮力を軽減しなければならない場合がある。
【０００７】
一方、尿の吸収性を良くする観点からは、吸収性本体１０を、背側帯部材３０ｂよりも腹側帯部材３０ａの方に偏らせて配置することが考えられる。そして、このようにすれば、吸収可能容量も腹側の方が背側に比べて相対的に大きくなるので、一般に腹側で排出される尿を、吸収性本体１０は吸液可能容量不足にならずに速やか且つ確実に吸収することができる。
【０００８】
しかしながら、かかる構成の場合には、図１Ｃに示すように、吸収性本体１０における腹側の部分１０ａがより率先して尿を吸収することから、尿の吸収後において、当該腹側の部分１０ａが重くなって当該部分１０ａの垂れ下がりを助長する恐れがある。そして、大きく垂れ下がると、吸収性本体１０と股間等との間に大きな隙間が生じてしまい、その結果、おむつ１から尿が漏れ出る恐れがある。
【０００９】
本発明は、上記のような従来の問題に鑑みてなされたものであって、その目的は、腹側帯部材及び背側帯部材の両者において部分的に収縮力を軽減可能とし、また、吸収性本体の尿の吸収性を良好にし、更に、尿を吸収後の吸収性本体における腹側の部分の重みによる同腹側の部分の垂れ下がりを抑制することにある。
【課題を解決するための手段】
【００１０】
上記目的を達成するための主たる発明は、
縦方向に沿って設けられ、尿を吸収する吸収性本体と、
前記縦方向と交差する横方向に沿って設けられ、前記吸収性本体の前記縦方向の一端部に重ね合わせられて固定された腹側帯部材と、
前記腹側帯部材とは別部材として前記横方向に沿って設けられ、前記吸収性本体の前記縦方向の他端部に重ね合わせられて固定された背側帯部材と、を有し、
前記腹側帯部材のうちの前記横方向の各端部と前記背側帯部材のうちの前記横方向の各端部とが連結されることによって、一つの胴回り開口と二つの脚回り開口とが形成された吸収性物品であって、
前記腹側帯部材のうちで前記吸収性本体が重ね合わせられる重ね合わせ部の前記縦方向の大きさは、前記背側帯部材のうちで前記吸収性本体が重ね合わせられる重ね合わせ部の前記縦方向の大きさよりも大きくされており、
前記腹側帯部材は、前記腹側帯部材に対して前記横方向の収縮力を付与すべく、前記腹側帯部材における前記横方向の一端部から他端部までに亘って連続して配置された腹側連続弾性部材と、前記横方向に非連続に配置された腹側非連続弾性部材と、を有し、
前記背側帯部材は、前記背側帯部材に対して前記横方向の収縮力を付与すべく、前記背側帯部材における前記横方向の一端部から他端部までに亘って連続して配置された背側連続弾性部材と、前記横方向に非連続に配置された背側非連続弾性部材と、を有し、
前記腹側帯部材に係る前記腹側連続弾性部材の収縮力の大きさの総和よりも、前記背側帯部材に係る前記背側連続弾性部材の収縮力の大きさの総和の方が大きいことを特徴とする吸収性物品である。  
本発明の他の特徴については、本明細書及び添付図面の記載により明らかにする。
【発明の効果】
【００１１】
本発明によれば、腹側帯部材及び背側帯部材の両者において部分的に収縮力を軽減可能となり、また、吸収性本体の尿の吸収性を良好にでき、更に、尿を吸収後の吸収性本体における腹側の部分の重みによる同腹側の部分の垂れ下がりを抑制可能となる。
【図面の簡単な説明】
【００１２】
【図１Ａ】本発明の課題を説明するための３ピースタイプのおむつ１の一例の概略斜視図である。
【図１Ｂ】同おむつ１を、着用者の脇腹に当接する部分１ｓ，１ｓで分断後に展開して非肌側から見た概略平面図である。
【図１Ｃ】同おむつ１を着用者としての乳幼児が着用した状態の概略図である。
【図２】本実施形態に係る３ピースタイプの使い捨ておむつ１の概略斜視図である。
【図３】展開状態の同おむつ１を肌側から見た概略平面図である。
【図４】同おむつ１を非肌側から見た概略斜視図である
【図５】図５Ａは、図３中のＡ−Ａ断面図及びＣ−Ｃ断面図であり、図５Ｂは、図３中のＢ−Ｂ断面図である。
【図６】図３中のＶＩ−ＶＩ断面図である。
【図７】同おむつ１を着用者としての乳幼児が着用した状態の概略図である。
【図８Ａ】おむつ１の非肌側から見た場合の腹側帯部材３０ａの概略拡大図である。
【図８Ｂ】おむつ１の非肌側から見た場合の腹側帯部材３０ａの概略拡大図である。
【図９】おむつ１の非肌側から見た場合の背側帯部材３０ｂの概略拡大図である。
【図１０】腹側帯部材３０ａと背側帯部材３０ｂとの連結状態を示す概略図である。
【図１１】おむつ１の肌側から見た場合の腹側帯部材３０ａの概略拡大図である。
【図１２】下部領域ＡＤに非連続に配置された弾性部材３５ｎａの他の例を示す腹側帯部材３０ａの概略平面図であって、帯部材３０ａのうちの非肌側の不織布３１を取り除いた状態の図である。
【発明を実施するための形態】
【００１３】
本明細書及び添付図面の記載により、少なくとも以下の事項が明らかとなる。  
縦方向に沿って設けられ、尿を吸収する吸収性本体と、
前記縦方向と交差する横方向に沿って設けられ、前記吸収性本体の前記縦方向の一端部に重ね合わせられて固定された腹側帯部材と、
前記腹側帯部材とは別部材として前記横方向に沿って設けられ、前記吸収性本体の前記縦方向の他端部に重ね合わせられて固定された背側帯部材と、を有し、
前記腹側帯部材のうちの前記横方向の各端部と前記背側帯部材のうちの前記横方向の各端部とが連結されることによって、一つの胴回り開口と二つの脚回り開口とが形成された吸収性物品であって、
前記腹側帯部材のうちで前記吸収性本体が重ね合わせられる重ね合わせ部の前記縦方向の大きさは、前記背側帯部材のうちで前記吸収性本体が重ね合わせられる重ね合わせ部の前記縦方向の大きさよりも大きくされており、
前記腹側帯部材は、前記腹側帯部材に対して前記横方向の収縮力を付与すべく、前記腹側帯部材における前記横方向の一端部から他端部までに亘って連続して配置された腹側連続弾性部材と、前記横方向に非連続に配置された腹側非連続弾性部材と、を有し、
前記背側帯部材は、前記背側帯部材に対して前記横方向の収縮力を付与すべく、前記背側帯部材における前記横方向の一端部から他端部までに亘って連続して配置された背側連続弾性部材と、前記横方向に非連続に配置された背側非連続弾性部材と、を有し、
前記腹側帯部材に係る前記腹側連続弾性部材の収縮力の大きさの総和よりも、前記背側帯部材に係る前記背側連続弾性部材の収縮力の大きさの総和の方が大きいことを特徴とする吸収性物品である。
【００１４】
このような吸収性物品によれば、腹側帯部材は、横方向に非連続に配置された腹側非連続弾性部材を有しているので、腹側帯部材に付与される横方向の収縮力を、部分的に軽減することができる。同様に、背側帯部材も、横方向に非連続に配置された背側非連続弾性部材を有しているので、背側帯部材に付与される横方向の収縮力を部分的に軽減することができる。  
また、帯部材のうちで吸収性本体が重ね合わせられている部分たる重ね合わせ部の縦方向の大きさは、腹側帯部材の方が背側帯部材よりも大きくされている。そして、これにより、全体として吸収性本体は背側帯部材よりも腹側帯部材の方に偏って配置されている。よって、主に腹側で排出される尿を、吸収性本体は速やかに且つ十分な吸液可能容量でもって吸収することができる。  
更に、腹側帯部材に係る腹側連続弾性部材の収縮力の総和よりも、背側帯部材に係る背側連続弾性部材の収縮力の総和の方が大きくされている。よって、上記の如く吸収性本体が背側帯部材よりも腹側帯部材の方に偏って配置されている場合に尿の吸収後に起こり得る現象、すなわち、尿を吸収後の吸収性本体における腹側の部分の重みによる垂れ下がり現象を抑制することができる。詳しくは、吸収性物品の着用状態にあっては、総和で勝る背側連続弾性部材の収縮力が、腹側帯部材を介して、背側向きの引っ張り力として吸収性本体の腹側の部分に作用して、これにより、当該腹側の部分を背側の方に（例えば斜め上方向に）引き上げる。よって、尿を吸収後の吸収性本体における腹側の部分の垂れ下がりを抑制することができる。
【００１５】
かかる吸収性物品であって、
前記腹側帯部材のうちの前記横方向の中央部に前記重ね合わせ部が設定されていることによって、前記腹側帯部材は、前記重ね合わせ部よりも前記横方向に突出した突出部分を前記横方向の両側にそれぞれ有し、
前記腹側非連続弾性部材は、一方の前記突出部分に前記横方向に連続して設けられた側部弾性部材と、他方の前記突出部分に前記横方向に連続して設けられつつ、前記一方の前記突出部分の前記側部弾性部材との間に前記中央部にて前記横方向に間隔をあけて設けられた側部弾性部材と、を有し、
前記背側帯部材のうちの前記横方向の中央部に前記重ね合わせ部が設定されていることによって、前記背側帯部材は、前記重ね合わせ部よりも前記横方向に突出した突出部分を前記横方向の両側にそれぞれ有し、
前記背側非連続弾性部材は、一方の前記突出部分に前記横方向に連続して設けられた側部弾性部材と、他方の前記突出部分に前記横方向に連続して設けられつつ、前記一方の前記突出部分の前記側部弾性部材との間に前記中央部にて前記横方向に間隔をあけて設けられた側部弾性部材と、を有し、
前記腹側帯部材の前記突出部分の前記側部弾性部材の収縮力の総和は、前記背側帯部材の前記突出部分の前記側部弾性部材の収縮力の総和よりも大きくされているのが望ましい。
【００１６】
このような吸収性物品によれば、腹側帯部材及び背側帯部材の両者において、それぞれ吸収性本体との重ね合わせ部が設定される横方向の各中央部には、非連続弾性部材のうちで弾性部材が存在しない部分が対応付けられており、つまり、同中央部は、概ね弾性部材が存在しない状態とされている。そして、これにより、当該中央部たる重ね合わせ部への収縮力の付与は軽減されている。よって、当該弾性部材の収縮力起因で吸収性本体に皺が生じることは有効に防止されて、吸収性本体の肌側面を略平坦に維持可能となり、その結果、吸収性本体の吸液阻害を防ぐことができる。  
また、腹側帯部材の突出部分における側部弾性部材の収縮力の総和は、背側帯部材の突出部分における側部弾性部材の収縮力の総和よりも大きくされている。そのため、吸収性本体における背側の部分よりも同腹側の部分の方が、より大きな力で横方向の両側から引っ張られている。よって、吸収性本体における腹側の部分は、速やかに横方向に広げられて、その肌側面が略平坦になり易い。そして、これにより、尿が排出される腹側の部分において肌に対向する面積を大きくすることができて、結果、尿の吸収性を高めることができる。
【００１７】
かかる吸収性物品であって、
前記腹側帯部材における前記突出部分に配置された前記側部弾性部材は、前記横方向の中央側に延長されているとともに、延長された部分の端部は、前記吸収性本体における前記横方向の端部に接合されているのが望ましい。
【００１８】
このような吸収性物品によれば、腹側帯部材の突出部分に配置された側部弾性部材は、吸収性本体における横方向の端部の位置まで延長配置され、そして、同端部に接合されている。よって、同吸収性本体における腹側の部分に対して、横方向の両側から確実に上記側部弾性部材の収縮力を付与することができる。そのため、吸収性本体における腹側の部分を横方向の両側へ確実に引っ張ることができて、当該腹側の部分の肌側面を確実に略平坦にすることができる。
【００１９】
かかる吸収性物品であって、
前記吸収性本体は、液体吸収性素材が積層されてなる吸収性コアと、前記吸収性コアを肌側から覆って設けられた液透過性の表面シート部材と、前記吸収性コアを非肌側から覆って設けられた液不透過性の裏面シート部材と、を有し、
前記腹側帯部材の前記側部弾性部材の前記端部は、前記吸収性コアにおける前記横方向の端部に位置しているのが望ましい。
【００２０】
このような吸収性物品によれば、腹側帯部材の側部弾性部材の端部は、吸収性コアにおける横方向の端部に位置している。よって、上記の側部弾性部材の収縮力を、吸収性本体の主部をなす吸収性コアの腹側の部分に確実に伝えることができて、これにより、大きな収縮力で同コアの腹側の部分を横方向の両側により確実に引っ張ることができる。その結果、吸収性本体における腹側の部分の肌側面をより確実に略平坦にすることができて、尿の吸収性をより高めることができる。
【００２１】
かかる吸収性物品であって、
前記吸収性本体は、液体吸収性素材が積層されてなる吸収性コアと、前記吸収性コアを肌側から覆って設けられた液透過性の表面シート部材と、前記吸収性コアを非肌側から覆って設けられた液不透過性の裏面シート部材と、を有し、
前記背側帯部材における前記突出部分に配置された前記側部弾性部材は、前記横方向の中央側に延長されているとともに、延長された部分の端部は、前記吸収性本体のうちで前記吸収性コアよりも前記横方向の端側の部分に固定されているのが望ましい。
【００２２】
このような吸収性物品によれば、背側帯部材の側部弾性部材の端部は、吸収性本体のうちで吸収性コアよりも横方向の端側の部分に固定されている。よって、上記の側部弾性部材の収縮力は、吸収性本体の主部をなす吸収性コアに伝わり難くなっており、これにより、吸収性本体における背側の部分は、着用者の臀部からの離間が許容された状態となる。よって、着用者の排泄後に、排泄された大便を収容する空間を、着用者の臀部と表面シート部材との間に形成し易くなる。
【００２３】
かかるに記載の吸収性物品であって、
前記吸収性本体における前記横方向の各端部は、前記腹側帯部材に接合部を介して固定されており、
前記接合部を介して前記突出部分の前記側部弾性部材の収縮力が前記端部に作用することによって、前記端部は、前記突出部分の方に引っ張られているのが望ましい。
【００２４】
このような吸収性物品によれば、吸収性本体における横方向の各端部が、腹側帯部材における突出部分の側部弾性部材の大きな収縮力によって、同腹側帯部材の方に引っ張られる。そして、これにより、吸収性本体のうちの腹側の部分が、引き上げられることとなり、その結果、尿を吸収して重くなった同腹側の部分の垂れ下がりを抑制することができる。
【００２５】
かかる吸収性物品であって、
前記背側帯部材の前記縦方向の大きさの方が前記腹側帯部材の前記縦方向の大きさよりも大きいことによって、前記背側帯部材は、前記腹側帯部材よりも前記脚回り開口の方に飛び出してなる飛び出し部分を有し、
前記腹側帯部材の前記突出部分に位置する複数の前記側部弾性部材のうちで前記脚回り開口に最も近い位置の側部弾性部材の収縮力の方が、前記背側帯部材の前記突出部分に位置する複数の前記側部弾性部材のうちで前記脚回り開口に最も近い位置の側部弾性部材の収縮力よりも大きいのが望ましい。
【００２６】
このような吸収性物品によれば、腹側帯部材に係る複数の側部弾性部材のうちで脚回り開口に最も近い位置の側部弾性部材の収縮力の方が、背側帯部材に係る複数の側部弾性部材のうちで脚回り開口に最も近い位置の側部弾性部材の収縮力よりも大きい。よって、お尻りカバーとして機能する背側帯部材の上記飛び出し部分は、腹側帯部材の側部弾性部材の収縮力によって速やかに腹側の方に引っ張られて、当該飛び出し部分を速やかに腹側に広げることができる。よって、当該飛び出し部分をお尻カバーとして有効に機能させることができる。
【００２７】
かかる吸収性物品であって、
複数の前記背側連続弾性部材のうちで前記縦方向に関して最も前記脚回り開口に近い位置の背側連続弾性部材の収縮力の方が、複数の前記腹側連続弾性部材のうちで前記縦方向に関して最も前記脚回り開口に近い位置の腹側連続弾性部材の収縮力よりも大きいのが望ましい。
【００２８】
このような吸収性物品によれば、尿の吸収後に吸収性本体における腹側の部分が重みによって垂れ下がってしまうことをより有効に抑制することができる。詳しくは、次の通りである。既述のように、先ず、この発明では、上記の垂れ下がりを抑制する目的で、背側帯部材の複数の背側連続弾性部材の収縮力の総和を、腹側帯部材の複数の連続弾性部材の収縮力の総和よりも大きくして、これにより、吸収性本体における腹側の部分を背側の方に引き上げているが、ここで、この引き上げ作用の寄与率は、全ての背側連続弾性部材に亘って一様ではなく、同様に、全ての腹側連続弾性部材に亘って一様ではない。そして、当該引き上げ作用に最も関係する連続弾性部材というのが、背側連続弾性部材については、背側帯部材において縦方向の最も脚回り開口に近い位置の背側連続弾性部材であり、他方、腹側連続弾性部材については、腹側帯部材において縦方向の最も脚回り開口に近い位置の腹側連続弾性部材である。そのため、かかる最も脚回り開口に近い位置の背側連続弾性部材の収縮力を、最も脚回り開口に近い位置の腹側連続弾性部材の収縮力よりも大きくすれば、より効果的に、吸収性本体における腹側の部分を背側に引き上げることができて、結果、同腹側の部分の垂れ下がりをより有効に抑制することができる。
【００２９】
かかる吸収性物品であって、
前記腹側帯部材は、シート状部材を基材とするとともに、前記シート状部材に対して前記腹側連続弾性部材及び前記腹側非連続弾性部材が設けられており、
前記背側帯部材は、シート状部材を基材とするとともに、前記シート状部材に対して前記背側連続弾性部材及び前記背側非連続弾性部材が設けられており、
前記腹側連続弾性部材の収縮力の大きさの総和とは、前記シート状部材が前記横方向に自然長になるまで前記シート状部材を広げた状態を１００％の伸長状態とした場合に、７０％の伸長状態において前記腹側連続弾性部材に生じている前記横方向の収縮力の大きさの総和のことであり、
前記背側連続弾性部材の収縮力の大きさの総和とは、前記シート状部材が前記横方向に自然長になるまで前記シート状部材を広げた状態を１００％の伸長状態とした場合に、７０％の伸長状態において前記背側連続弾性部材に生じている前記横方向の収縮力の大きさの総和のことであるのが望ましい。
【００３０】
このような吸収性物品によれば、背側連続弾性部材の大きな収縮力を、腹側帯部材を介して吸収性本体の腹側の部分に確実に作用させることができて、これにより、当該腹側の部分を背側の方に確実に引き上ることができる。よって、尿を吸収後に起こり得る吸収性本体における腹側の部分の垂れ下がりを確実に抑制可能となる。
【００３１】
＝＝＝本実施形態＝＝＝
図２は、本実施形態の吸収性物品の一例としての３ピースタイプの使い捨ておむつ１の概略斜視図である。図３は、展開状態のおむつ１を肌側から見た概略平面図であり、図４は、同おむつ１を非肌側から見た概略斜視図である。また、図５Ａは、図３中のＡ−Ａ断面図及びＣ−Ｃ断面図であり、図５Ｂは、図３中のＢ−Ｂ断面図である。
【００３２】
図３、図５Ａ、及び図５Ｂに示すように、このおむつ１は、互いに直交する三方向として縦方向と横方向と厚さ方向とを有している。また、同おむつ１は、所謂３ピースタイプであることから、３つの部品１０，３０ａ，３０ｂを有している。すなわち、このおむつ１は、第１部品として、着用者の股間部にあてがわれ尿を吸収する吸収性本体１０を有し、第２部品として、同着用者の腹側部を覆う腹側帯部材３０ａを有し、第３部品として、同着用者の背側部を覆う背側帯部材３０ｂを有している。そして、図３の展開状態では、腹側帯部材３０ａと背側帯部材３０ｂとが互いの間に間隔をあけて平行に並んだ状態で、これらの間に吸収性本体１０が掛け渡されつつ、同吸収性本体１０の長手方向の各端部１０ｅａ，１０ｅｂがそれぞれ最寄りの帯部材３０ａ，３０ｂに接合固定されており、その外観形状は平面視略Ｈ形状をなしている。そして、この状態から、吸収性本体１０がおむつ１の長手方向の中央位置Ｃ１を折り位置として二つ折りされるとともに、この二つ折りの状態において互いに対向する帯部材３０ａ，３０ｂ同士が、着用者の脇腹に当接すべき部分３０ａｅ，３０ｂｅ（つまり、横方向の各端部３０ａｅ，３０ｂｅ）にて連結されると、これら帯部材３０ａ，３０ｂ同士が環状に繋がって、これにより、図２に示すような胴回り開口１ＨＢ及び一対の脚回り開口１ＨＬ，１ＨＬが形成された着用状態のおむつ１となる。
【００３３】
なお、上述の帯部材３０ａ，３０ｂ同士を連結する連結構造としては、種々の連結構造を採用できる。そして、例えば、溶着等の取り外し不能な連結構造を用いれば、パンツ型のおむつ１にすることができ、他方、ファスニングテープ部材（不図示）等の着脱自在な連結構造を用いれば、オープン型のおむつにすることができる。ちなみに、この例では、前者の連結構造を用いており、これにより、当該おむつ１はパンツ型とされている。
【００３４】
また、以下の説明では、おむつ１の縦方向、横方向、厚さ方向のことを、それぞれ単に「縦方向」、「横方向」、「厚さ方向」と言う。なお、厚さ方向に関しては、着用者に接触する側のことを「肌側」とも言い、その逆側のことを「非肌側」とも言う。  
以下、図２乃至図５Ｂを参照しつつ、おむつ１の３つの構成部品１０，３０ａ，３０ｂについて説明する。  
図３及び図５Ｂに示すように、吸収性本体１０は、液体吸収性繊維の一例としてのパルプ繊維を所定形状の一例としての平面視略砂時計形状に成型してなる吸収性コア１１と、吸収性コア１１を同コア１１の肌側から覆う表面シート部材１３と、吸収性コア１１を同コア１１の非肌側から覆って吸収性本体１０の外装をなす裏面シート部材１５と、を備えている。なお、かかる吸収性コア１１は、液体吸収性粒状物として例えば高吸収性ポリマーを含有していても良いし、または、液体吸収性繊維及び液体吸収性粒状物以外の液体吸収性素材を含んでいても良い。また、吸収性コア１１は、ティッシュペーパー等の液透過性シート（不図示）で被覆されていても良い。
【００３５】
表面シート部材１３は、例えば吸収性コア１１よりも大きい平面サイズの液透過性の不織布である。また、図５Ｂに示すように、裏面シート部材１５も、吸収性コア１１より大きい平面サイズのシートであり、その一例としては、ポリエチレン又はポリプロピレン等の液不透過性の防漏シート１５ａと、不織布等の外装シート１５ｂとが貼り合わされた二層構造のシート１５が挙げられる。そして、これら裏面シート部材１５と表面シート部材１３との間に吸収性コア１１を挟んだ状態において、吸収性コア１１の四辺から外側にはみ出す部分にて、裏面シート部材１５の防漏シート１５ａと表面シート部材１３とが額縁状に貼り合わされ、これにより、吸収性本体１０が概ね形成されている。
【００３６】
なお、場合によっては、図２、図３、及び図５Ｂに示すように、外装シート１５ｂによって所謂立体ギャザーＬＳＧ及び脚回りギャザーＬＧを形成しても良い。立体ギャザーＬＳＧは、表面シート部材１３の横方向の各端部にそれぞれ起立して設けられた防漏壁部ＬＳＧであり、他方、脚回りギャザーＬＧは、おむつ１の各脚回り開口１ＨＬ，１ＨＬに形成される伸縮部ＬＧのことである。かかる外装シート１５ｂについて詳説すると、先ず、図５Ｂに示すように、外装シート１５ｂの横方向の寸法は、防漏シート１５ａよりも十分大きく設定されており、すなわち、外装シート１５ｂは、防漏シート１５ａの横方向の両側から横方向に大きくはみ出している。そして、このはみ出した部分１５ｂｆが、吸収性本体１０の横方向の端部１０ｅｓをなす位置を折り返し位置として横方向の中央側に折り返されて、同折り返し位置の近傍に縦方向に沿って糸ゴム等の弾性部材１７が縦方向に伸長下で固定され、これにより、上記の脚回りギャザーＬＧが形成されている。また、折り返された部分１５ｂｇは、更に横方向の中央側へと延びていき、表面シート部材１３の横方向の端部を覆う位置で、同端部に接合されている。そして、この端部に接合された部分が立体ギャザーＬＳＧの基端部ＬＳＧｂとして機能して、すなわち、当該基端部ＬＳＧｂよりも更に横方向の先端側の部分が自由端部分ＬＳＧｆとして表面シート部材１３から起立可能となっている。また、自由端部分ＬＳＧｆの先端部には、縦方向に沿って糸ゴム等の弾性部材１８が縦方向に伸長下で固定されている。よって、弾性部材１８の縦方向の収縮によって、表面シート部材１３側が内周側となるように吸収性本体１０は縦方向に湾曲するが、この湾曲時には、同弾性部材１８から付与される収縮力によって自由端部分ＬＳＧｆは、縦方向に収縮して表面シート部材１３から起立し、これにより、同自由端部分ＬＳＧｆは立体ギャザーＬＳＧとして機能する。
【００３７】
なお、不図示であるが、場合によっては、表面シート部材１３と吸収性コア１１との間、又は、裏面シート部材１５と吸収性コア１１との間に、セカンドシートとしてティッシュペーパー等の液透過性シートを介装しても良い。
【００３８】
図３に示すように、腹側帯部材３０ａ及び背側帯部材３０ｂは、何れも、例えば不織布等の柔軟なシートを素材とした平面視略矩形形状のシート部材である。ここでは、図５Ａ及び図５Ｂに示すように、不織布３１，３２（シート状部材に相当）を二枚重ねに接合することで各帯部材３０ａ，３０ｂは形成されており、各帯部材３０ａ，３０ｂは、それぞれ横方向の中央部３０ａｃ，３０ｂｃで、吸収性本体１０における縦方向の各端部１０ｅａ，１０ｅｂを吸収性本体１０の非肌側から覆いながら、当該各端部１０ｅａ，１０ｅｂに帯部材３０ａ，３０ｂの中央部３０ａｃ，３０ｂｃが重ね合わせられて接合されている。
【００３９】
なお、二枚の不織布３１，３２は互いに同じサイズでなくても良い。例えば、この説明用の図としての図６には、かかる構成の場合の図３中のＶＩ−ＶＩ断面図が示されているが、この図のようにしても良い。すなわち、同図６では、厚さ方向の非肌側に位置する不織布３１の方が肌側に位置する不織布３２よりも縦方向の端側にはみ出すように、互いの縦方向の大きさを異ならせている。そして、更に、この場合には、同図６に示すように、非肌側の不織布３１のうちで、肌側の不織布３２から縦方向にはみ出す部分３１ｆが、肌側の不織布３２の縦方向の端縁の近傍位置を折り返し位置として縦方向の中央側に折り返されている。そして、当該折り返された部分３１ｇが、肌側の不織布３２に重ね合わせられて接合されている。なお、この折り返しの際には、吸収性本体１０の縦方向の端部１０ｅａ，１０ｅｂの一部を、上記の折り返された部分３１ｇで吸収性本体１０の肌側から覆うようにしても良い。
【００４０】
ここで、上述した帯部材３０ａ，３０ｂの中央部３０ａｃ，３０ｂｃへの吸収性本体１０の重ね合わせは、図３に示すように、帯部材３０ａ，３０ｂにおける縦方向の端部３０ａｅ２，３０ｂｅ２には吸収性本体１０を重ねずに、同端部３０ａｅ２，３０ｂｅ２よりも縦方向の中央側の部分３０ａｃ２，３０ｂｃ２に吸収性本体１０を重ねるようにして行われる。そして、これにより、帯部材３０ａ，３０ｂにおける縦方向の端部３０ａｅ２，３０ｂｅ２は、横方向の全長に亘って帯状に吸収性本体１０が全く重ならない部分３０ａｅ２，３０ｂｅ２とされている。なお、この重ならない部分３０ａｅ２，３０ｂｅ２は、おむつ１の胴回り開口１ＨＢ（図２）を構成する部分となり、よって、当該部分３０ａｅ２，３０ｂｅ２には、後述する弾性部材３５Ｕが、同部分３０ａｅ２，３０ｂｅ２における横方向の略全長に亘って連続して設けられている。
【００４１】
また、以下では、図３の帯部材３０ａ,３０ｂのうちで吸収性本体１０が重ね合わせられる部分３０ａｐ，３０ｂｐのことを「重ね合わせ部３０ａｐ，３０ｂｐ」と言うが、本実施形態では、背側帯部材３０ｂの重ね合わせ部３０ｂｐの縦方向の大きさＬｂよりも、腹側帯部材３０ａの重ね合わせ部３０ａｐの縦方向の大きさＬａの方を大きくしている（Ｌａ＞Ｌｂ）。すなわち、全体として吸収性本体１０を、背側帯部材３０ｂよりも腹側帯部材３０ａの方に偏って配置している。そして、これにより、尿の良好且つ円滑な吸収性を担保している。すなわち、排尿は、主に、縦方向に係るおむつ１の中央位置Ｃ１よりも腹側の位置でなされるが、上記のように吸収性本体１０を腹側の方に偏らせて配置していれば、腹側の位置で排出される尿を、吸収性本体１０は速やかに且つ十分な吸液可能容量でもって吸収可能となる。  
更に、帯部材３０ａ,３０ｂの横方向の寸法は、それぞれ、吸収性本体１０の横方向の寸法よりも大きく設定されており、これにより、帯部材３０ａ,３０ｂは、上記重ね合わせ部３０ａｐ,３０ｂｐよりも横方向の両側に突出している。すなわち、帯部材３０ａ,３０ｂは、それぞれ、重ね合わせ部３０ａｐ,３０ｂｐよりも横方向に突出してなる突出部分３０ａｗ,３０ｂｗを横方向の両側にそれぞれ有している。
【００４２】
図３、図５Ａ、及び図５Ｂに示すように、腹側帯部材３０ａに係る２枚の不織布３１，３２同士の間には、横方向に沿って糸ゴム等の複数本の弾性部材３５，３５…が介挿されつつ、横方向に伸長下で同不織布３１，３２に接合固定されており、これにより、腹側帯部材３０ａには横方向の収縮力が付与されている。また、かかる複数本の弾性部材３５，３５…は、縦方向に間隔をあけながら縦方向に並んで設けられている。
【００４３】
なお、以下では、説明の都合上、図４に示すように、腹側帯部材３０ａを縦方向に三つの領域ＡＵ，ＡＭ，ＡＤに区分し、そして、縦方向に並ぶ三つの各領域ＡＵ，ＡＭ，ＡＤのことを、縦方向の端側から中央側に向かうに従って、「上部領域ＡＵ」、「中部領域ＡＭ」、及び「下部領域ＡＤ」と言う。ちなみに、何れの領域ＡＵ，ＡＭ，ＡＤも、横方向に沿った帯状の領域とされている。
【００４４】
同図４に示すように、上部領域ＡＵは、おむつ１の胴回り開口１ＨＢを構成する部分であり、また、同領域ＡＵは、横方向の全長に亘って吸収性本体１０が全く重ね合わせられていない領域である。そして、かかる上部領域ＡＵには、弾性部材３５Ｕ（３５）が、同領域ＡＵにおける横方向の一端部から他端部までの略全長に亘って連続して配置されながら、横方向に伸長下で固定されている。よって、当該弾性部材３５Ｕ（３５）に基づいて上部領域ＡＵには、横方向の略全長に亘って横方向の収縮力が付与されており、この収縮力は、おむつ１の胴回り開口１ＨＢの収縮力となる。なお、この上部領域ＡＵの弾性部材３５Ｕ（３５）は、本発明に係る「腹側連続弾性部材３５ａ」として機能するが、これについては後述する。
【００４５】
中部領域ＡＭは、横方向の中央部ＡＭｃに、吸収性本体１０の縦方向の端部１０ｅａが重ね合わせられて固定される領域である。より正確に言えば、同領域ＡＭの上記中央部ＡＭｃには、吸収性本体１０のうちで吸収性コア１１が存在しない部分１０ｎが重ね合わせられて固定されている。よって、当該中央部ＡＭｃは、中部領域ＡＭにおいて吸収性本体１０が重ね合わせられる部分であり、つまり、前述の重ね合わせ部３０ａｐの一部をなす。また、同中部領域ＡＭは、重ね合わせ部３０ａｐたる中央部ＡＭｃよりも横方向に突出してなる突出部ＡＭｗ，ＡＭｗを横方向の両側に有しているが、これら突出部ＡＭｗ，ＡＭｗは、前述の突出部分３０ａｗの一部をなす。
【００４６】
また、かかる中部領域ＡＭには、弾性部材３５Ｍ（３５）が、同領域ＡＭおける横方向の一端部から他端部までの略全長に亘って連続して配置されながら、横方向に伸長下で固定されている。そして、これにより、当該弾性部材３５Ｍ（３５）に基づいて中部領域ＡＭには横方向の略全長に亘って横方向の収縮力が付与されている。なお、この中部領域ＡＭの弾性部材３５Ｍ（３５）も、本発明に係る「腹側連続弾性部材３５ａ」として機能するが、これについても後述する
下部領域ＡＤは、横方向の中央部ＡＤｃに、吸収性本体１０のうちの吸収性コア１１が存在する部分１０ｐが重ね合わせられて固定される領域である。すなわち、当該中央部ＡＤｃは、前述の重ね合わせ部３０ａｐの一部をなす。また、同下部領域ＡＤは、重ね合わせ部３０ａｐたる中央部ＡＤｃよりも横方向に突出してなる突出部ＡＤｗ，ＡＤｗを横方向の両側に有しているが、これら突出部ＡＤｗ，ＡＤＷも、前述の突出部分３０ａｗの一部をなす。すなわち、前述の突出部分３０ａｗは、上記の中部領域ＡＭと下部領域ＡＤとに亘っている。
【００４７】
かかる下部領域ＡＤには、弾性部材３５Ｄが、横方向に沿って非連続に配置されている。この例では、上記の中央部ＡＤｃにおいて弾性部材３５Ｄ（３５）が非連続に配置されているが、同中央部ＡＤｃの横方向の両側に位置する上記の突出部ＡＤｗ，ＡＤｗでは、それぞれ、弾性部材３５Ｄ（３５）が、同突出部ＡＤｗにおける横方向の一端部から他端部までの略全長に亘って連続して配置されながら、横方向に伸長下で固定されている。そして、これにより、下部領域ＡＤのうちの上記突出部ＡＤｗ，ＡＤｗに対しては、横方向の収縮力が付与されている。ちなみに、このように、中央部ＡＤｃに弾性部材３５Ｄ（３５）の非連続な部分が存在していれば、吸収性コア１１の吸液阻害を有効に防ぐことが可能であるが、これについては後述する。また、このような下部領域ＡＤの弾性部材３５Ｄ（３５）は、本発明に係る「腹側非連続弾性部材３５ｎａ」として機能するが、これについても後述する。
【００４８】
なお、上述では、腹側帯部材３０ａの弾性部材３５，３５…について説明したが、弾性部材３５，３５…の太さや本数、縦方向の配置位置等の詳細仕様を除けば、その基本構成については、背側帯部材３０ｂの弾性部材３５，３５…も概ね同じである。例えば、図４に示すように、背側帯部材３０ｂも、縦方向に三つの領域ＡＵ，ＡＭ，ＡＤを並んで有している。詳しくは、縦方向の端側から中央側に向かうに従って、上部領域ＡＵ、中部領域ＡＭ、及び下部領域ＡＤの三者が、この順番で並んで配置されている。また、何れの領域ＡＵ，ＡＭ，ＡＤも、横方向に沿った帯状の領域とされている。更に、中部領域ＡＭは、横方向の中央部ＡＭｃと、同中央部ＡＭｃの横方向の両側の各位置にそれぞれ突出部ＡＭｗ，ＡＭｗとを有し、そして、中央部ＡＭｃは、前述の重ね合わせ部３０ｂｐの一部をなし、各突出部ＡＭｗ，ＡＭｗは、それぞれ、前述の各突出部分３０ｂｗ，３０ｂｗの一部をなしている。また、下部領域ＡＤは、横方向の中央部ＡＤｃと、同中央部ＡＤｃの横方向の両側の各位置にそれぞれ突出部ＡＤｗ，ＡＤｗとを有し、そして、中央部ＡＤｃは、前述の重ね合わせ部３０ｂｐの一部をなし、各突出部ＡＤｗ，ＡＤｗは、それぞれ、前述の各突出部分３０ｂｗ，３０ｂｗの一部をなしている。よって、背側帯部材３０ｂの弾性部材３５の詳細な説明については省略する。なお、背側帯部材３０ｂの上部領域ＡＵの弾性部材３５Ｕ（３５）及び中部領域ＡＭの弾性部材３５Ｍ（３５）は、本発明に係る「背側連続弾性部材３５ｂ」として機能し、また、下部領域ＡＤの弾性部材３５Ｄ（３５）は、本発明に係る「背側非連続弾性部材３５ｎｂ」として機能するが、これについては後述する。
【００４９】
ところで、おむつ１上における排尿位置は、一般におむつ１の縦方向の中央位置Ｃ１（図３）よりも腹側に位置している。そのため、排尿時には、吸収性本体１０における腹側の部分１０ａが率先して尿を吸収することになるが、既述のように、本実施形態では、このときにも当該腹側の部分１０ａにおいて吸収可能容量が不足しないように、吸収性本体１０を背側帯部材３０ｂよりも腹側帯部材３０ａの方に偏らせて配置している。
【００５０】
しかし、かかるシフト配置に起因して、図７に示すように、吸収性本体１０における腹側の部分１０ａが、吸収した尿の重みによって大きく垂れ下がってしまう恐れがある。すなわち、ただでさえ腹側の部分１０ａに集中して尿が吸収されるところ、上記の吸収性本体１０の腹側へのシフト配置によれば、更に、尿の吸収が腹側の部分１０ａに偏ってしまう恐れがあって、その結果、同腹側の部分１０ａの垂れ下がりを助長する可能性がある。そして、この垂れ下がりが過大になると、その見栄えが悪いだけでなく、吸収性本体１０と着用者の肌との間の隙間が大きく拡大されてしまい、同隙間から大量の尿漏れを引き起こしかねない。
【００５１】
そこで、本実施形態では、図７に示すように、主に背側帯部材３０ｂの所定の弾性部材３５ｂの収縮力に基づいて吸収性本体１０における腹側の部分１０ａを背側に引き上げて、これにより、同腹側の部分１０ａの垂れ下がりを抑制している。以下、詳説する。
【００５２】
なお、以下の説明では、腹側帯部材３０ａの弾性部材３５と背側帯部材３０ｂの弾性部材３５とを区別して説明する必要がある。そのため、以下のように、腹側帯部材３０ａの弾性部材３５及び背側帯部材３０ｂの弾性部材３５に対して、互いに異なる符号を付け直すとともに、更に、各領域ＡＵ，ＡＭ，ＡＤの各弾性部材３５Ｕ，３５Ｍ，３５Ｄについては、以下のように新たに名前を付けることにする。
【００５３】
先ず、図４に示すように、腹側帯部材３０ａの上部領域ＡＵ及び中部領域ＡＭのそれぞれに対して横方向の略全長に亘って連続して設けられている弾性部材３５Ｕ，３５Ｍのことを、どちらも「腹側連続弾性部材３５ａ」と言う。また、腹側帯部材３０ａの下部領域ＡＤに対して設けられている弾性部材３５Ｄ、すなわち、横方向の中央部ＡＤｃでは非連続に設けられ、中央部ＡＤｃの両側に位置する各突出部ＡＤｗ，ＡＤｗでは、それぞれ横方向に連続して設けられている弾性部材３５Ｄのことを「腹側非連続弾性部材３５ｎａ」と言う。
【００５４】
また同様に、背側帯部材３０ｂの上部領域ＡＵ及び中部領域ＡＭのそれぞれに対して横方向の略全長に亘って連続して設けられている弾性部材３５Ｕ，３５Ｍのことを、どちらも「背側連続弾性部材３５ｂ」と言い、更に、背側帯部材３０ｂの下部領域ＡＤに対して、横方向の中央部ＡＤｃでは非連続に設けられ、中央部ＡＤｃの両側に位置する各突出部ＡＤｗ，ＡＤｗでは、それぞれ横方向に連続して設けられている弾性部材３５Ｄのことを「背側非連続弾性部材３５ｎｂ」と言う。
【００５５】
＜＜＜腹側連続弾性部材３５ａ及び背側連続弾性部材３５ｂについて＞＞＞
図８Ａ及び図８Ｂは、おむつ１の非肌側から見た場合の腹側帯部材３０ａの概略拡大図であり、図９は、おむつ１の非肌側から見た場合の背側帯部材３０ｂの概略拡大図である。また、図１０は、腹側帯部材３０ａと背側帯部材３０ｂとの連結状態を示す概略図である。
【００５６】
図８Ａに示すように、腹側帯部材３０ａの上部領域ＡＵ及び中部領域ＡＭには、複数の腹側連続弾性部材３５ａ，３５ａ…が腹側帯部材３０ａの横方向の略全長に亘って設けられており、同様に、図９に示すように、背側帯部材３０ｂの上部領域ＡＵ及び中部領域ＡＭには、それぞれ、複数の背側連続弾性部材３５ｂ，３５ｂ…が背側帯部材３０ｂの横方向の略全長に亘って設けられている。また、図１０に示すように、腹側帯部材３０ａの横方向の各端部３０ａｅ，３０ａｅと背側帯部材３０ｂの横方向の各端部３０ｂｅ，３０ｂｅとが溶着で連結される際には、腹側帯部材３０ａにおける縦方向の端縁部３０ａｅｅと、背側帯部材３０ｂにおける縦方向の端縁部３０ｂｅｅとが、互いの間に縦方向の段差がほぼ無い状態で横方向に繋がるように位置合わせされており、これにより、腹側帯部材３０ａの上部領域ＡＵ及び中部領域ＡＭの横方向の各端部と、背側帯部材３０ｂの上部領域ＡＵ及び中部領域ＡＭの横方向の各端部とは、概ね横方向に繋がるように連結されている。更に、各腹側連続弾性部材３５ａ，３５ａ…及び各背側連続弾性部材３５ｂ，３５ｂ…の収縮力の個別設定に基づいて、背側帯部材３０ｂに係る背側連続弾性部材３５ｂ，３５ｂ…の収縮力の大きさの総和は、腹側帯部材３０ａに係る腹側連続弾性部材３５ａ，３５ａ…の収縮力の大きさの総和よりも大きく設定されている。
【００５７】
よって、かかるおむつ１の着用状態においては、図７に示すように、総和で勝る背側連続弾性部材３５ｂ，３５ｂ…の収縮力が、腹側帯部材３０ａ経由で、背側向きの引っ張り力として吸収性本体１０の腹側の部分１０ａに伝達されて、これにより、当該引っ張り力は、同腹側の部分１０ａを背側に（例えば斜め上方向に）引き上げるように作用する。そして、その結果として、当該腹側の部分１０ａは、吸収された尿の重みに抗しながら背側の方へ引き上げられて、これにより、同腹側の部分１０ａの垂れ下がりが抑制される。
【００５８】
ちなみに、ここで言う「腹側連続弾性部材３５ａ，３５ａ…の収縮力の大きさの総和」とは、腹側帯部材３０ａの基材をなす不織布３１，３２が横方向に自然長（例えば、たるみの無い状態まで不織布３１，３２を横方向に張った状態であって、且つ不織布３１，３２の応力が零の状態）になるまで同帯部材３０ａを横方向に広げた状態を１００％の伸長状態とした場合に、７０％の伸長状態において全ての腹側連続弾性部材３５ａ，３５ａ…に生じている力の大きさの総和のことである。また、同様に、「背側連続弾性部材３５ｂ，３５ｂ…の収縮力の大きさの総和」と言うのも、背側帯部材３０ｂの基材をなす不織布３１，３２が横方向に自然長になるまで同帯部材３０ｂを横方向に広げた状態を１００％の伸長状態とした場合に、７０％の伸長状態において全ての背側連続弾性部材３５ｂ，３５ｂ…に生じている力の大きさの総和のことである。なお、ここで、上記のように収縮力の総和を、７０％の伸長状態での総和とした理由は、おむつ１の着用状態というのは、一般に図３の展開状態を１００％とした場合に、その７０％の状態まで横方向に収縮した状態となっているからである。この収縮力の総和の測定方法については、後述する。
【００５９】
また、背側連続弾性部材３５ｂ，３５ｂ…の収縮力の大きさの総和は、例えば、腹側連続弾性部材３５ａ，３５ａ…の収縮力の大きさの総和の１．１倍〜１．５倍の範囲の任意値に設定され、望ましくは、１．１倍〜１．３倍の範囲の任意値に設定される。
【００６０】
なお、図９の上部領域ＡＵと中部領域ＡＭとで、互いに背側連続弾性部材３５ｂ，３５ｂ…の収縮力の大きさの総和を同じにしても良いし、異ならせても良く、この例では異ならせている。ここで、異ならせる場合には、望ましくは、上部領域ＡＵにおける背側連続弾性部材３５ｂ，３５ｂ…の収縮力の総和よりも、中部領域ＡＭにおける背側連続弾性部材３５ｂ，３５ｂ…の収縮力の総和の方を大きくすると良い。この理由は、吸収性本体１０に近い領域ほど、同領域に属する背側連続弾性部材３５ｂ，３５ｂ…の収縮力が、吸収性本体１０の腹側の部分１０ａに伝達性され易くなって、同腹側の部分１０ａの引き上げ効果がより高まると考えられるからである。
【００６１】
また、上部領域ＡＵ及び中部領域ＡＭにそれぞれ設けられる背側連続弾性部材３５ｂ，３５ｂ…の本数は、単数でも良いし複数でも良い。但し、複数にした方が、各領域ＡＵ，ＡＭの略全域に亘って均等に収縮力を付与可能となる。また、上部領域ＡＵ及び中部領域ＡＭにそれぞれ複数の背側連続弾性部材３５ｂ，３５ｂ…が属している場合には、同じ領域ＡＵ（ＡＭ）に属する背側連続弾性部材３５ｂ，３５ｂ…同士の間で、互いの収縮力の大きさを異ならせても良いし、同じに揃えても良い。この例では、上部領域ＡＵに属する全数の背側連続弾性部材３５ｂ，３５ｂ…の収縮力の大きさを互いに同値に揃え、また、中部領域ＡＭに属する全数の背側連続弾性部材３５ｂ，３５ｂ…の収縮力の大きさを互いに同値に揃えている。そして、これにより、各領域ＡＵ，ＡＭ内での収縮力の更なる均等化を図っている。
【００６２】
以上、主に背側帯部材３０ｂに係る上部領域ＡＵ及び中部領域ＡＭの各背側連続弾性部材３５ｂ，３５ｂ…ついて説明したが、上述の背側連続弾性部材３５ｂ，３５ｂ…の説明は、図８Ａの腹側帯部材３０ａに係る上部領域ＡＵ及び中部領域ＡＭの各腹側連続弾性部材３５ａ，３５ａ…についても、ほぼそのまま当てはまる。そのため、以下では、腹側帯部材３０ａの上部領域ＡＵ及び中部領域ＡＭの各腹側連続弾性部材３５ａ，３５ａ…の説明については省略する。
【００６３】
ここで、望ましくは、腹側帯部材３０ａ及び背側帯部材３０ｂの中部領域ＡＭ，ＡＭ同士の比較においても、上述の収縮力の大きさの総和の大小関係が成立していると良い。すなわち、腹側帯部材３０ａの中部領域ＡＭに属する腹側連続弾性部材３５ａ，３５ａ…の収縮力の大きさの総和よりも、背側帯部材３０ｂの中部領域ＡＭに属する背側連続弾性部材３５ｂ，３５ｂ…の収縮力の大きさの総和の方が大きくなるように設定されていると良い。
【００６４】
そして、このように設定されていれば、上述した尿の吸収後の吸収性本体１０における腹側の部分１０ａの重みによる垂れ下がりを、より有効に抑制することができる。ちなみに、このように、上記の大小関係を上部領域ＡＵよりも中部領域ＡＭの方で実現した方が良い理由は、前述と同じである。すなわち、中部領域ＡＭは、上部領域ＡＵと比べて吸収性本体１０に近く、よって、収縮力の伝達性が良好なものと考えられるからである。
【００６５】
また、同様に収縮力の伝達性の観点からは、望ましくは、腹側帯部材３０ａの中部領域ＡＭのなかで最も吸収性本体１０に近い１本の腹側連続弾性部材３５ａと、背側帯部材３０ｂの中部領域ＡＭのなかで最も吸収性本体１０に近い１本の背側連続弾性部材３５ｂとを比較した場合に、腹側連続弾性部材３５ａの収縮力よりも、背側連続弾性部材３５ｂの収縮力の方が大きくなるように設定されていると良い。
【００６６】
ちなみに、上記の設定は、次のように言い換えることもできる。すなわち、図８Ａの複数の腹側連続弾性部材３５ａ，３５ａ…のうちで縦方向に関して最も脚回り開口１ＨＬに近い位置の１本の腹側連続弾性部材３５ａの収縮力の大きさと、図９の複数の背側連続弾性部材３５ｂ，３５ｂ…のうちで縦方向に関して最も脚回り開口１ＨＬに近い位置の１本の背側連続弾性部材３５ｂの収縮力の大きさとを比較した場合に、前者の腹側連続弾性部材３５ａの収縮力よりも、後者の背側連続弾性部材３５ｂの収縮力の方が大きくなるように設定されていると良い。
【００６７】
＜＜＜腹側非連続弾性部材３５ｎａ及び背側非連続弾性部材３５ｎｂについて＞＞＞
既述のように、図８Ａに示す腹側非連続弾性部材３５ｎａは、腹側帯部材３０ａの下部領域ＡＤにおいて横方向に沿って非連続に設けられた弾性部材３５ｎａであり、同様に、図９に示す背側非連続弾性部材３５ｎｂは、背側帯部材３０ｂの下部領域ＡＤにおいて横方向に非連続に設けられた弾性部材３５ｎｂである。そして、腹側非連続弾性部材３５ｎａ及び背側非連続弾性部材３５ｎｂのどちらについても、その非連続な部分が、それぞれ各下部領域ＡＤ，ＡＤにおける横方向の中央部ＡＤｃに設定されており、これにより、少なくとも中央部ＡＤｃ以外の部分は、弾性部材３５ｗａ又は弾性部材３５ｗｂが横方向に沿って連続して設けられている。
【００６８】
詳説すると、先ず、既述のように、図８Ａの腹側帯部材３０ａ及び図９の背側帯部材３０ｂのどちらについても、それぞれ、下部領域ＡＤの横方向の中央部ＡＤｃには、吸収性本体１０が重ね合わせられており、また、下部領域ＡＤは、同中央部ＡＤｃの横方向の両側の各位置に、それぞれ、吸収性本体１０よりも横方向に突出する突出部ＡＤｗ，ＡＤｗを有している。  
そして、図８Ａの腹側非連続弾性部材３５ｎａは、下部領域ＡＤの一方の突出部ＡＤｗに横方向に連続して設けられた側部弾性部材３５ｗａと、他方の突出部ＡＤｗに横方向に連続して設けられつつ、一方の突出部ＡＤｗの側部弾性部材３５ｗとの間に中央部ＡＤｃにて横方向に間隔をあけて設けられた側部弾性部材３５ｗａと、を有している。また、同様に、図９の背側非連続弾性部材３５ｎｂも、下部領域ＡＤの一方の突出部ＡＤｗに横方向に連続して設けられた側部弾性部材３５ｗｂと、他方の突出部ＡＤｗに横方向に連続して設けられつつ、一方の突出部ＡＤｗの側部弾性部材３５ｗｂとの間に中央部ＡＤｃにて横方向に間隔をあけて設けられた側部弾性部材３５ｗｂと、を有している。
【００６９】
そして、このような構成にされていれば、吸収性本体１０の吸液阻害を有効に防ぐことができる。すなわち、腹側帯部材３０ａ及び背側帯部材３０ｂの各下部領域ＡＤ，ＡＤにおいて、それぞれ吸収性本体１０との重ね合わせ部３０ａｐ，３０ｂｐが設定される横方向の各中央部ＡＤｃ，ＡＤｃには、腹側非連続弾性部材３５ｎａ及び背側非連続弾性部材３５ｎｂのうちで弾性部材が存在しない部分がそれぞれ対応付けられている。よって、当該中央部ＡＤｃ，ＡＤｃたる重ね合わせ部３０ａｐ，３０ｂｐへの収縮力の付与は軽減されており、これにより、当該弾性部材３５ｎａ，３５ｎｂの収縮力起因で吸収性本体１０に皺が生じることは有効に防止される。そして、その結果、吸収性本体１０の肌側面を略平坦に維持可能となって、吸収性本体１０の吸液阻害を防ぐことができる。
【００７０】
また、図８Ａ及び図９の例では、腹側帯部材３０ａにおける上記突出部ＡＤｗに設けられた複数の側部弾性部材３５ｗａ，３５ｗａ…の収縮力の総和は、背側帯部材３０ｂにおける上記突出部ＡＤｗに設けられた複数の側部弾性部材３５ｗｂ，３５ｗｂ…の収縮力の総和よりも大きくなるように設定されている。そして、これにより、吸収性本体１０における腹側の部分１０ａの方が、背側の部分１０ｂよりも大きな力で横方向の両側から引っ張られている。よって、吸収性本体１０における腹側の部分１０ａは、速やかに横方向に広げられて、その肌側面が略平坦になり易く、その結果、尿が排出される腹側の部分１０ａにおいて肌に対向する面積を大きくすることができて、尿の吸収性を高めることができる。
【００７１】
なお、腹側帯部材３０ａの下部領域ＡＤの突出部ＡＤｗに設けられる側部弾性部材３５ｗａの本数は、単数でも良いし複数でも良い。但し、複数にした方が、突出部ＡＤｗの略全域に亘って均等に収縮力を付与可能となる。また、複数の場合には、側部弾性部材３５ｗａ，３５ｗａ同士の間で、互いの収縮力の大きさを異ならせても良いし、同じに揃えても良い。この例では、全数の側部弾性部材３５ｗａ，３５ｗａ…の収縮力の大きさを互いに同値に揃えている。そして、これにより、突出部ＡＤｗ内での収縮力の更なる均等化を図っている。なお、これらのことは、背側帯部材３０ｂの下部領域ＡＤの突出部ＡＤｗに設けられる側部弾性部材３５ｗｂについても同様である。
【００７２】
ここで望ましくは、図８Ａに示すように、腹側帯部材３０ａの側部弾性部材３５ｗａは、下部領域ＡＤにおける突出部ＡＤｗから更に横方向の中央側に延長されていると良く、そして、延長された部分の端部３５ｗａｅが、吸収性本体１０のうちの横方向の端部１０ｅｗに接合されていると良い。そして、このように構成されていれば、吸収性本体１０における腹側の部分１０ａに対して、横方向の両側から確実に側部弾性部材３５ｗａ，３５ｗａ…の収縮力を付与することができて、これにより、同腹側の部分１０ａの肌側面を確実に略平坦にすることができる。
【００７３】
また、この腹側の部分１０ａの肌側面の平坦化の観点からは、更に望ましくは、図８Ｂに示すように、腹側帯部材３０ａの側部弾性部材３５ｗａに係り上記延長された端部３５ｗａｅが、吸収性本体１０のうちで吸収性コア１１の横方向の端部１１ｅｗに位置していると良い。そして、このようになっていれば、上記側部弾性部材３５ｗａの収縮力を、吸収性本体１０の主部をなす吸収性コア１１の腹側の部分１１ａに確実に伝えることができて、これにより、大きな収縮力で同コア１１の腹側の部分１１ａを横方向の両側により確実に引っ張ることができて、結果、吸収性本体１０における腹側の部分１０ａの肌側面をより確実に平坦化することができる。
【００７４】
一方、この例では、図９に示すように、背側帯部材３０ｂの側部弾性部材３５ｗｂ，３５ｗｂ…についても、下部領域ＡＤにおける突出部ＡＤｗから更に横方向の中央側に延長されている。但し、この背側帯部材３０ｂの側部弾性部材３５ｗｂ，３５ｗｂ…にあっては、望ましくは、当該延長された部分の端部３５ｗｂｅが、吸収性本体１０のうちで吸収性コア１１よりも横方向の端側の部分１０ｆに固定されていると良い。そして、このように構成されていれば、側部弾性部材３５ｗｂの収縮力は、吸収性本体１０の主部をなす吸収性コア１１に伝わり難くなって、これにより、吸収性本体１０における背側の部分１０ｂは、着用者の臀部からの離間が許容された状態となる。よって、着用者の排泄後に、排泄された大便を収容する空間を、着用者の臀部と吸収性本体１０との間に形成し易くなる。
【００７５】
ところで、この例では、図１０に示すように、背側帯部材３０ｂは、所謂お尻カバー３０ｂｆを具備している。すなわち、背側帯部材３０ｂの縦方向の大きさＬ３０ｂは、腹側帯部材３０ａの縦方向の大きさＬ３０ａよりも大きくされている。そして、これにより、背側帯部材３０ｂは、腹側帯部材３０ａよりも脚回り開口１ＨＬの方に飛び出してなる飛び出し部分３０ｂｆを有し、かかる飛び出し部分３０ｂｆが、着用者のお尻を覆うお尻カバー３０ｂｆとして機能する。
【００７６】
ここで、このお尻カバー３０ｂｆを具備している場合には、望ましくは、腹側帯部材３０ａの突出部分３０ａｗに位置する複数の側部弾性部材３５ｗａ，３５ｗａ…のうちで脚回り開口１ＨＬに最も近い位置の側部弾性部材３５ｗａの収縮力の大きさを、背側帯部材３０ｂの突出部分３０ｂｗに位置する複数の側部弾性部材３５ｗｂ，３５ｗｂ…のうちで脚回り開口１ＨＬに最も近い位置の側部弾性部材３５ｗｂの収縮力よりも大きく設定すると良い。
【００７７】
そして、このように設定されていれば、背側帯部材３０ｂの上記飛び出し部分３０ｂｆは、腹側帯部材３０ａの側部弾性部材３５ｗａの収縮力によって速やかに腹側の方に引っ張られて、当該飛び出し部分３０ｂｆを速やかに腹側に広げることができる。よって、当該飛び出し部分３０ｂｆをお尻カバー３０ｂｆとして有効に機能させることができる。
【００７８】
また、この例では、図１１の概略拡大図に示すように、吸収性本体１０の横方向の各端部１０ｅｓは脚回りギャザーＬＧとして機能していたが、ここで望ましくは、かかる各端部１０ｅｓが、腹側帯部材３０ａにおける下部領域ＡＤに接合部Ｊ（図１１中のハッチング部分を参照）を介して固定されていると良い。そして、このように構成されていれば、接合部Ｊを介して上記下部領域ＡＤにおける突出部ＡＤｗの側部弾性部材３５ｗａ，３５ｗａの収縮力が、吸収性本体１０の上記各端部１０ｅｓにも作用することとなって、これにより、同端部１０ｅｓは突出部ＡＤｗの方に引っ張られる。そして、これによっても、吸収性本体１０のうちの腹側の部分１０ａが引き上げられることとなって、その結果、尿を吸収して重くなった同腹側の部分１０ａの垂れ下がりをより一層抑制可能となる。なお、上記接合部Ｊは、ホットメルト系接着剤などの適宜な接着剤で形成される。
【００７９】
ここで、腹側帯部材３０ａにおける腹側連続弾性部材３５ａ，３５ａ…の収縮力の総和、及び背側帯部材３０ｂにおける背側連続弾性部材３５ｂ，３５ｂ…の収縮力の総和の測定方法について説明する。先ず、おむつ１から測定用サンプルを生成する。すなわち、図２のような一つの胴回り開口１ＨＢと二つの脚回り開口１ＨＬ，１ＨＬとを有した状態のおむつ１を、腹側帯部材３０ａと背側帯部材３０ｂとの連結構造の部分１ｓ，１ｓで分離して、これにより同おむつ１を図３の展開状態にする。そして、更に同おむつ１から吸収性本体１０を分離し、これにより、腹側帯部材３０ａと背側帯部材３０ｂとをそれぞれ単体状態にする。そうしたら、腹側帯部材３０ａ及び背側帯部材３０ｂのそれぞれについて更に下部領域ＡＤのみを切除することにより、上部領域ＡＵ及び中部領域ＡＭを残した状態にして、これにより、測定用サンプルが生成される。  
次に、この測定用サンプルの横方向の各端部を、引っ張り試験機の対応する各ヘッドに固定して、同サンプルを横方向に３００ｍｍ／分の引っ張り速度で引っ張る。そして、同サンプルを構成する不織布３１，３２の自然長まで引っ張った状態を１００％の伸長状態とした場合に、７０％の伸長状態での同試験機の引っ張り荷重（Ｎ）を読み取って、当該読み取り値を、上述の収縮力の総和とみなす。そして、これを、腹側帯部材３０ａに係る測定用サンプル及び背側帯部材３０ｂの測定用サンプルの両者についてそれぞれ行えば、上述の腹側帯部材３０ａにおける腹側連続弾性部材３５ａ，３５ａ…の収縮力の総和、及び背側帯部材３０ｂにおける背側連続弾性部材３５ｂ，３５ｂ…の収縮力の総和がそれぞれ取得される。
【００８０】
なお、上記の「不織布３１，３２の自然長」と言うのは、「当該不織布３１，３２に腹側連続弾性部材３５ａ，３５ａ…及び背側連続弾性部材３５ｂ，３５ｂ…が固定されていない状態であって外力も作用していない無負荷状態での不織布３１，３２本来の長さ」のことであり、換言すると、「たるみの無い状態まで不織布３１，３２を横方向に張った状態であって、且つ不織布３１，３２の応力が零の状態での横方向の長さ」のことである。
【００８１】
また、上述では、腹側帯部材３０ａにおける腹側連続弾性部材３５ａ，３５ａ…の収縮力の総和、及び背側帯部材３０ｂにおける背側連続弾性部材３５ｂ，３５ｂ…の収縮力の総和の測定方法について説明したが、同様の方法で、腹側帯部材３０ａの下部領域ＡＤの突出部ＡＤｗにおける側部弾性部材３５ｗａ，３５ｗａ…の収縮力の総和、及び背側帯部材３０ｂの下部領域ＡＤの突出部ＡＤｗにおける側部弾性部材３５ｗｂ，３５ｗｂ…の収縮力の総和の測定を行えることは、明らかであるので、その説明については省略する。
【００８２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８３】
上述の実施形態では、吸収性物品の一例として乳幼児用のおむつ１を例示したが、何等これに限らない。例えば、大人用のおむつ１に対して本発明に係る構成を適用しても良い。
【００８４】
上述の実施形態では、図８Ｂ（又は図９）に示すように、帯部材３０ａ（３０ｂ）において吸収性本体１０に重ね合わせられる部分たる重ね合わせ部３０ａｐ（３０ｂｐ）の収縮力を低くする目的で、下部領域ＡＤには非連続弾性部材３５ｎａ（３５ｎｂ）を設けており、そして、かかる非連続弾性部材３５ｎａ（３５ｎｂ）は、下部領域ＡＤの各突出部ＡＤｗにそれぞれ配置された２本の側部弾性部材３５ｗａ，３５ｗａ（３５ｗｂ，３５ｗｂ）を有していた。そして、下部領域ＡＤの中央部ＡＤｃの位置に、２本の側部弾性部材３５ｗａ，３５ｗａ（３５ｗｂ，３５ｗｂ）同士の間の間隔を位置させて各側部弾性部材３５ｗａ，３５ｗａ（３５ｗｂ，３５ｗｂ）は配されており、これにより、当該間隔の位置には、全く弾性部材が存在していなかったが、何等これに限らない。  
すなわち、下部領域ＡＤの中央部ＡＤｃの収縮力を下げるべく、同中央部ＡＤｃのうちで上記の間隔の位置に対応する部分に弾性部材が非連続に配置されているのであれば、当該部分に弾性部材が存在していても良い。図１２は、その一例の説明用の概略平面図である。なお、同図１２では、腹側帯部材３０ａのうちの非肌側の不織布３１を取り除いて、腹側連続弾性部材３５ａ及び腹側非連続弾性部材３５ｎａを外部露出した状態で示している。この図１２の例では、横方向に並ぶ２本の側部弾性部材３５ｗ,３５ｗ同士の間の間隔の位置に対応させて、下部領域ＡＤの中央部ＡＤｃには、細かく分断された状態の弾性部材３５ｐ，３５ｐ…が配されている。そして、かかる細切れ状態になっていれば、弾性部材３５ｐ，３５ｐ…は、当該中央部ＡＤｃに対して概ね収縮力を付与しなくなる。よって、このように細切れ状態の弾性部材３５ｐ，３５ｐ…であれば、中央部ＡＤｃに存在していても構わない。細切れ状態の弾性部材３５ｐの長さは、例えば０ｍｍよりも大きく５ｍｍ以下の長さとされ、より望ましくは、０ｍｍよりも大きく３ｍｍ以下の長さとされる。但し、細切れされた弾性部材３５ｐ，３５ｐ…が存在していると、見栄えが悪くなるので、望ましくは、上記の間隔の位置には弾性部材３５ｐ，３５ｐ…が存在しない方が良い（図８Ｂ）。
【００８５】
上述の実施形態では、外装シート１５ｂ及び帯部材３０ａ，３０ｂの素材をそれぞれ不織布としていたが、何等不織布に限らない。例えば、織布でも構わないし、織布以外のシート部材でも構わない。ちなみに、外装シート１５ｂについては省略しても良く、その場合には、防漏シート１５ａが吸収性本体１０の外装をなすことになる。
【００８６】
上述の実施形態では、腹側連続弾性部材３５ａ、腹側非連続弾性部材３５ｎａ、背側連続弾性部材３５ｂ、及び背側非連続弾性部材３５ｎｂとしてそれぞれ糸ゴムを例示したが、何等これに限らない。例えば、これらの弾性部材３５ａ，３５ｎａ，３５ｂ，３５ｎｂとして帯状のゴムを用いても良いし、収縮力を有した帯状の不織布や、収縮力を有した帯状の樹脂フィルムを用いても良い。
【符号の説明】
【００８７】
おむつ（吸収性物品）、１ＨＢ  胴回り開口、１ＨＬ  脚回り開口、１ｓ  部分、
１０  吸収性本体、１０ａ  腹側の部分、１０ｂ  背側の部分、
１０ｅａ  端部、１０ｅｂ  端部、
１０ｅｓ  端部、１０ｅｗ  端部、
１０ｆ  部分、１０ｎ  部分、１０ｐ  部分、
１１  吸収性コア、１１ａ  腹側の部分、１１ｅｗ  端部、
１３  表面シート部材、
１５  裏面シート部材、
１５ａ  防漏シート、１５ｂ  外装シート、
１５ｂｆ  はみ出した部分、１５ｂｇ  折り返された部分、
１７  弾性部材、
１８  弾性部材、
３０ａ  腹側帯部材、３０ａｃ  中央部、３０ａｃ２  部分、
３０ａｅ  端部、３０ａｅ２  端部、
３０ａｅｅ  端縁部、
３０ａｐ  重ね合わせ部、３０ａｗ  突出部分、
３０ｂ  背側帯部材、３０ｂｅ  端部、３０ｂｅｅ  端縁部、
３０ｂｆ  お尻カバー（飛び出し部分）、
３０ｂｐ  重ね合わせ部、３０ｂｗ  突出部分、
３１  不織布（シート状部材）、３１ｆ  はみ出す部分、３１ｇ  折り返された部分、
３２  不織布（シート状部材）、
３５  弾性部材、
３５Ｕ  弾性部材、３５Ｍ  弾性部材、３５Ｄ  弾性部材、
３５ａ  腹側連続弾性部材、３５ｂ  背側連続弾性部材、
３５ｎａ  腹側非連続弾性部材、３５ｎｂ  背側非連続弾性部材、
３５ｐ  弾性部材、
３５ｗａ  側部弾性部材、３５ｗａｅ  端部、
３５ｗｂ  側部弾性部材、３５ｗｂｅ  端部、
ＡＵ  上部領域、ＡＭ  中部領域、ＡＤ  下部領域、
ＡＭｃ  中央部、ＡＭｗ  突出部、
ＡＤｃ  中央部、ＡＤｗ  突出部、
ＬＧ  脚回りギャザー、
ＬＳＧ  立体ギャザー、
ＬＳＧｂ  基端部、ＬＳＧｆ  自由端部分、
Ｊ  接合部、
Ｃ１  中央位置、
【図１Ａ】
2015020006.tif 000003
【図１Ｂ】
2015020006.tif 000004
【図１Ｃ】
2015020006.tif 000005
【図２】
2015020006.tif 000006
【図３】
2015020006.tif 000007
【図４】
2015020006.tif 000008
【図５】
2015020006.tif 000009
【図６】
2015020006.tif 000010
【図７】
2015020006.tif 000011
【図８Ａ】
2015020006.tif 000012
【図８Ｂ】
2015020006.tif 000013
【図９】
2015020006.tif 000014
【図１０】
2015020006.tif 000015
【図１１】
2015020006.tif 000016
【図１２】
2015020006.tif 000017